(57)【要約】      （修正有）【課題】ユーザが長時間同じ姿勢を継続するのを防止する介護システムおよび介護装置を提供する。【解決手段】介護システム１および介護装置は、複数個の圧力センサー１１１を備えるクッションチェアと信号連接し、複数の圧力センサーがクッションチェアが受けた力量を感知した後に生成された圧力信号を取得し、分析および判断をする。例として指定圧力信号の指定時間エリア内での変化量が指定圧力変化量に満たないとき、演算ユニット１２２は指定圧力信号が異常であると判断する。それはユーザが長時間姿勢を変えない状態でいることを意味し、送受信ユニット１２１から警告信号を送信し、ユーザが姿勢を変換するように促したり、または介護者に注意するように知らせる。【選択図】図１
0003225235.tif 000002
【実用新案登録請求の範囲】
【請求項１】
複数個の圧力センサーを備えるクッションチェアと信号連接するのに用い、前記複数の圧力センサーはクッションチェアが受ける力を感知して圧力信号を生成するのに用いる介護システムにおいて、それは
前記複数の圧力センサーを信号連接し、前記複数の圧力信号を受信するのに用いる監視モジュールと、
前記監視モジュールと情報連結する送受信ユニットおよび前記送受信ユニットを連接する演算ユニットを有し、前記送受信ユニットは前記複数の圧力センサーの圧力信号を受信するのに用い、前記演算ユニットは圧力信号にもとづいて演算、分析、判断し、前記複数の圧力信号の指定時間エリア内での変化量が予定の圧力変化量に満たないとき、前記演算ユニットは状態が異常であると判断し、前記送受信ユニットから指定の少なくとも一受信装置へ警告信号を送信するサーバーと、を有することを特徴とする介護システム。
【請求項２】
前記サーバーは、更に前記演算ユニットを連接する設定ユニットを有し、前記設定ユニットは前記演算ユニットの指定時間エリアの長さまたは指定圧力変化量を設定するのに用い、更にモバイル端末から前記設定ユニットに連接して操作することを特徴とする請求項１記載の介護システム。
【請求項３】
前記サーバーは、更に前記演算ユニットを信号連接するプッシュ通知ユニットを有し、前記演算ユニットは前記プッシュ通知ユニットを制御して連絡名簿の指定者へプッシュ通知することを特徴とする請求項２記載の介護システム。
【請求項４】
前記サーバーは、更に前記演算ユニットを連接するデータベースおよび前記演算ユニットを連接する分析ユニットを有し、前記データベースは前記複数の圧力信号を保存するのに用い、前記分析ユニットは前記複数の圧力信号を分析するのに用い、前記演算ユニットの指定時間エリアおよび指定圧力変化量を自動化調整することを特徴とする請求項３記載の介護システム。
【請求項５】
複数個の圧力センサーを備えるクッションチェアと信号連接し、前記複数の圧力センサーは前記クッションチェアが受けた力を感知し、且つ圧力信号を生成するのに用いる介護装置において、それは
マイクロプロセッサと、
前記複数の圧力センサーおよび前記マイクロプロセッサに信号連接し、それは前記複数の圧力信号を受信し、更に前記複数の圧力信号を前記マイクロプロセッサへ伝送するのに用いる連接ユニットと、
前記マイクロプロセッサに信号連接し、毎回受信した前記複数の圧力信号を保存するのに用いる保存ユニットと、
前記マイクロプロセッサに信号連接し、メッセージを送信するのに用いる通知ユニットと、
前記マイクロプロセッサに信号連接し、ライトまたは音声を生成する警告ユニットを有し、
前記マイクロプロセッサは毎回、前記複数の圧力信号を受信するとき毎回、前回の圧力信号との比較を実施し、同じ回数を継続しているか、または変化量が設定値に至らないが設定回数は達成したか、または同じ時間間隔で設定時間値に至ったとき、異常な状況であると判断し、異常状況が発生した時、前記通知ユニットがメッセージを生成して指定アドレスへ送信し、更に前記警告ユニットがサウンドを生成することを特徴とする介護装置。
【請求項６】
前記介護装置は、更にポートを有し、前記連接ユニットに信号連接し、前記複数の圧力センサーと有線の信号が連接するのに用いることを特徴とする請求項５記載の介護装置。
【請求項７】
前記介護装置は、更に無線伝送ユニットを有し、前記連接ユニットに信号連接し、前記複数の圧力センサーと無線の信号が連接するのに用いることを特徴とする請求項５記載の介護装置。
【考案の詳細な説明】
【技術分野】
【０００１】
本考案は、介護を補助するシステムおよびその装置に関するもので、特にクッションチェアの圧力変化によって判断する介護システムおよびその装置にかかわる。
【背景技術】
【０００２】
社会構造は高齢化しており、多くの高齢者や、糖尿病患者は通常、神経の感覚が鈍ったり、または他に老化現象として体が自由に動かなくなったりする。そのため、長時間、同じ姿勢でいるのを防止し、末梢神経を循環させて体全体の健康を維持する必要がある。
【０００３】
しかし、現在、巷ではヘルスケアシステムが市場にないため、高齢者が自分で自分の世話をしたり、または介護スタッフがユーザにヘルスケアを有効に行うことができるような、ユーザの着座状態または変化状態を監視するシステムが必要である。
【考案の概要】
【考案が解決しようとする課題】
【０００４】
即ち、ユーザ着座状態を監視する介護システムおよびその装置と方法を提供し、本考案によって長く座っている、またはきちんと座っていないときに、状態を通知する。更に老人、病院患者に運用するだけでなく、着座矯正にも利用できる介護システムおよびその装置を提供することを本考案が解決しようとする課題とする。
【課題を解決するための手段】
【０００５】
本考案の介護システムは複数個の圧力センサーを備えるクッションチェアと信号連接するのに用いる。該複数の圧力センサーはクッションチェアが受ける力量を感知して圧力信号を生成するのに用いる。本考案は監視モジュールとサーバーを有する。監視モジュールと該複数の圧力センサーは信号連接し該複数の圧力信号を受信するのに用いる。サーバーは該監視モジュールと情報連結する送受信ユニットおよび該送受信ユニットを連接する演算ユニットを有する。該送受信ユニットは該複数の圧力センサーの圧力信号を受信するのに用い、該演算ユニットは圧力信号が行った演算にもとづき分析判断する。該複数の圧力信号の指定時間エリア内での変化量が予定の圧力変化量に満たないとき、該演算ユニットは状態が異常であると判断し、該送受信ユニットから指定の少なくとも一受信装置へ警告信号を送信する。
【０００６】
また、本考案の介護方法は、以下ステップの監視ステップ、演算ステップと警告ステップを有する。監視ステップは複数個の圧力センサーで圧力を計測して圧力信号を送信する。演算ステップは送受信ユニットで該複数の圧力センサーの圧力信号を受信し、演算ユニットが分析して判断するのに用い、指定圧力信号の指定時間エリア内での変化量が指定圧力変化量に満たないとき、該演算ユニットは指定圧力信号が異常であると判断し、該送受信ユニットから警告信号を送信する。警告ステップは受信装置が警告信号を受信並びに表示する。
【０００７】
本考案は更に介護装置を提供する。それは複数個の圧力センサーを備えるクッションチェアと信号連接し、該複数の圧力センサーは該クッションチェアが受けた力を感知し、且つ圧力信号を生成するのに用いる。それはマイクロプロセッサ、連接ユニット、保存ユニット、通知ユニットと警告ユニットを有する。
【０００８】
連接ユニットは、該複数の圧力センサーおよび該マイクロプロセッサに信号連接し、それは該複数の圧力信号を受信し、更に該複数の圧力信号を該マイクロプロセッサへ伝送するのに用いる。保存ユニットは該マイクロプロセッサに信号連接し、毎回受信した該複数の圧力信号を保存するのに用いる。通知ユニット該マイクロプロセッサに信号連接し、メッセージを送信するのに用いる。警告ユニットは該マイクロプロセッサに信号連接し、ライトまたは音声を生成する。該マイクロプロセッサは毎回該複数の圧力信号を受信するとき、前回の圧力信号と比較を実施し、同じ回数を継続しているか、または変化量が設定値に至らないが設定回数は達成したか、または同じ時間間隔で設定時間値に至ったとき、異常な状況であると判断する。異常状況が発生した時、該通知ユニットがメッセージを生成して指定アドレスへ送信し、更に該警告ユニットがサウンドを生成する。
【考案の効果】
【０００９】
本考案の介護システムおよびその装置の利点として、長く座って姿勢を変えないときに知らせる他に、その圧力分布にもとづき着座状態を知り適する注意を与える。更に介護者が短時間、患者の側から離れるときの監視をサポートする。それは取得した圧力信号を監視または分析することによって、患者が長時間姿勢を変化していないか、クッションチェアに長時間戻っていないかどうかを知ることができる。更にジャイロスコープまたはイメージキャプチャに結合し、クッションチェアまたはデバイスに異常の異動があったとき、警告する。それらに拠ってケアサポートの効果を達成し、介護者が一時的に離れたときのプレッシャーを下げ、介護者が患者の側にいないときの穴埋めをする。警告信号を発してユーザが姿勢を変更することを促し、ユーザが長時間同じ姿勢を継続するのを防止し、もしも、まだ姿勢を変化させないとき、意識不明またはその他状況が発生したと仮定し、更に厳しい警告を発し、ユーザの状態を監視サポートする目的を確実に達成し、高齢者の自己介護のサポート、または介護スタッフのサポートに用い、ユーザに対して有効に傾向ケアを行う。
【図面の簡単な説明】
【００１０】
【図１】本考案の介護システムの実施例を説明するブロック図である。
【図２】本考案の介護システムの実施例の応用形態を説明したブロック図である。
【図３】本考案の介護システムの実施例の応用形態を説明したブロック図である。
【図４】本考案の介護システムの実施例の応用形態を説明したブロック図である。
【図５】本考案の介護システムの実施例の応用形態を説明したブロック図である。
【図６】本考案の介護システムの実施例の応用形態を説明したブロック図である。
【図７】本考案の介護システムの実施例の応用形態を説明したブロック図である。
【図８】本考案の介護方法の実施例を説明したフローチャート図である。
【考案を実施するための形態】
【００１１】
本考案の前述およびその他技術内容、特徴と効果に関し、以下に図式と共に良好な実施例を挙げて詳細に説明する。本考案を詳細に説明する前に、以下の説明内容において、類似の部材は同じ番号で表示する。
【実施例１】
【００１２】
図１は、本考案の介護システム１の第一実施例であり、それは、監視モジュール１１とサーバー１２を有する。介護システム１は複数個の圧力センサー１１１を備えたクッションチェアと信号連接する。該複数の圧力センサーはクッションチェアが受ける力量を感知して圧力信号を発生させるのに用いる。更に該クッションチェアにジャイロスコープまたはイメージキャプチャを設け、クッションチェアが傾倒などのような瞬間的な変化位置があるか否かを判断するのに用い、且つジャイロスコープ、赤外線検出装置またはイメージキャプチャが生成する信号は該圧力信号と組み合わせる。
【００１３】
監視モジュール１１は該複数の圧力センサー１１１と信号連接し、該複数の圧力信号を受信したり、またはクッションチェアに結合したその他探知装置、例としてジャイロスコープ、赤外線検出装置、イメージキャプチャを組み合わせて受信するために用いる。そのうちクッションチェアは臀部を載せる箇所、背もたれ、肘掛け等または車椅子の足置き板等を有する。
【００１４】
例として、該監視モジュール１１と車椅子に設置したクッションチェアは有線または無線で信号連接し、該複数の圧力センサー１１１はクッションチェア各箇所に設置してユーザが着座したときのクッションチェア各箇所に発生する圧力を計測するのに用い、監視モジュール１１は圧力信号を該サーバー１２へ伝送して演算する。ユーザが着座を変更したときクッションチェア各箇所に発生する圧力が変化し、該複数の圧力センサー１１１は圧力的変化を計測し、監視モジュール１１は再度新しい圧力信号を該サーバー１２へ伝送する。該サーバー１２は該監視モジュールと情報連結する送受信ユニット１２１、および該送受信ユニットを連接する演算ユニット１２２を有する。該送受信ユニット１２１は該複数の圧力センサー１１１の圧力信号を受信するのに用い、該演算ユニット１２２は圧力信号が行った演算にもとづき分析判断する。該複数の圧力信号の指定時間エリア内での変化量が予定の圧力変化量に満たないとき、該演算ユニット１２２は状態が異常であると判断し、該送受信ユニット１２１から指定の少なくとも一受信装置１３へ警告信号を送信する。受信装置１３はモバイル端末または病院患者の管理システムとする。
【００１５】
該サーバー１２は、該監視モジュール１１と情報連結する送受信ユニット１２１、該送受信ユニット１２１を連接する演算ユニット１２２、該演算ユニット１２２を連接する設定ユニット１２３、該演算ユニット１２２を連接するプッシュ通知ユニット１２４、該演算ユニット１２２を連接するデータベース１２５、および該演算ユニット１２２を連接する分析ユニット１２６を有する。
【００１６】
本実施例において、該サーバー１２はクラウドサーバーでもよく、クラウドサーバー１２の他に、該サーバー１２は病院、老人ホーム、シニアコミュニティ等機構が使用する情報システムサーバー１２でもよい。
【００１７】
該送受信ユニット１２１は監視モジュール１１から伝送した該複数の圧力センサー１１１の圧力信号を受信するのに用いる。該演算ユニット１２２は圧力信号にもとづき分析判断し、該設定ユニット１２３は該演算ユニット１２２の指定時間エリアおよび指定圧力変化量またはクッションチェアの大きさ、ブランド、形式、使用目的、設置位置（例としてオフィスチェア、車椅子）を設定するのに用いる。指定圧力信号の指定時間エリア内での変化量が指定圧力変化量に満たないとき、該演算ユニット１２２は指定圧力信号が異常であると判断し、該送受信ユニット１２１から警告信号を送信する。
【００１８】
例として、糖尿病のユーザは３０分ごとに少なくとも一回クッションチェア上から起き上がって歩かせるのが適した活動スケジュールとすると、指定時間エリアを３０分間と設定し、指定圧力変化量を９０％（起き上がるのは、変化量が大きいため）と設定する。指定圧力信号の指定時間エリア３０分間内での変化量が指定圧力変化量９０％に達しないとき、該演算ユニット１２２は指定圧力信号が異常であると判定し、該送受信ユニット１２１から該受信装置１３へ警告信号を送信し、ユーザにクッションチェアから起き上がって動き末梢神経循環を改善させる事を知らせる。仮にユーザが第一回目の警告信号送信後にそれでも姿勢を変化させないとき、熟睡状態を除き、意識不明またはその他深刻な状況である可能性があり、拠って、更に第一回目の警告信号送信後の一定時間の間に再度設定し、もしも、まだ姿勢を変化させないとき、第二回目の警告信号を送信して、その他介護スタッフが急いで現場へ向かうことを知らせる。
【００１９】
特に、本考案の介護システム１は高齢者を対象として使用する他に、座る時間の長い労働者、体の不自由な身体障害者、児童、会社勤務者にも本考案の介護システム１で健康をケアできる。
【００２０】
その他、該演算ユニット１２２のアルゴリズムは指定時間エリア内の指定圧力変化量の分析および判断に限定されない。例として、該演算ユニット１２２のアルゴリズムは指定圧力センサー１１１の押圧され続ける時間が指定時間エリアを超えるか否かを分析および判断する。または該監視モジュール１１はユーザがクッションチェアに座っているか、またはクッションチェアから離れているかをその他センサーチップまたは設備に結合して監視する。また該演算ユニット１２２のアルゴリズムは指定時間エリア内の起立と着座回数が指定回数を達成しているか、またはその被押圧エリアが調整変化しているか否かを計算する。該演算ユニット１２２は異なるアルゴリズムでユーザ状態を監視し、これらアルゴリズムの変化はすべて本考案の請求範囲に含まれる。
【００２１】
該演算ユニット１２２が該送受信ユニット１２１から該受信装置１３へ警告信号を送信したとき、該プッシュ通知ユニット１２４は連絡名簿の指定者へプッシュ通知を送信し、連絡名簿上の指定者に即座にユーザ状態を知らせる。例として、ユーザは予め連絡名簿の指定者、例として主要介護者、配偶者、子供、介護スタッフ、医療スタッフ等を設定する。ユーザの受信装置１３が警告信号を受信したとき、該プッシュ通知ユニット１２４は同時に連絡名簿の指定者へプッシュ通知を送信する。または該プッシュ通知ユニット１２４が連絡名簿の指定者へ毎日一回、当日の警告信号のタイムスケジュールを送信するように設定する。
【００２２】
該クラウドデータベース１２５は過去の圧力信号を保存するのに用いる。該分析ユニット１２６は該演算ユニット１２２の指定時間エリアおよび指定圧力変化量を調整するため、過去の圧力信号を分析する。例として該分析ユニット１２６は過去の圧力信号を通して、例としてユーザが着座したときの重心が左に偏る、またはユーザが昼頃にうたた寝をしやすい等々状況を知ることができる。そして提案する指定時間エリアおよび指定圧力変化量を提供する。該分析ユニット１２６は評価レポートを提供し、ユーザに即時状態を掌握させる。
【００２３】
該受信装置１３は警告信号を受信並びに表示するのに用いる。特に、本考案の介護システム１のサーバー１２は選択した受信装置１３、例としてユーザが所有するモバイル端末、主要介護者が所有するモバイル端末または介護スタッフが所有するモバイル端末等々と情報連結する。その他、該モバイル端末で警告信号を受信並びに表示する他に、移動式医療ワークステーション（回診カートとも言う）、ナースステーションのデスクトップパソコン等でも使用してもよい。特に該受信装置１３は該サーバー１２からアプリをダウンロードすることで該受信装置１３から指定時間エリアの設定、指定圧力変化量の設定、連絡名簿の指定者の設定、および健康評価レポート等を取得する。
【００２４】
図２において、該受信装置１３が警告信号を表示するときに、同時に警告ベルを送信する。または本考案の介護システム１は更に警告灯１４を連接する。該サーバー１２は該受信装置１３と該警告灯１４へ警告信号を送信し、該警告灯１４を点灯してユーザに知らせる。本実施例の介護システム１は更に警告ブザー１５、警告バイブレータ１６等々を連接してもよく、特に警告バイブレータ１６はクッションチェアに近づけて設置し、直接振動でユーザの姿勢の変化を知らせる。
【００２５】
図３において、特に本考案の介護システム１は多対一使用であり、例として複数個の監視モジュール１１は異なるユーザにそれぞれ設置する。該受信装置１３は一名の介護スタッフが持つ。該サーバー１２の演算ユニット１２２は指定ユーザの警告信号を該受信装置１３に送信するのに用いる。更に図４において、本考案の介護システム１は一対多使用であり、例として該監視モジュール１１は一名のユーザに設置し、複数個の受信装置１３は多数名の介護スタッフがそれぞれ持つ。該サーバー１２の演算ユニット１２２は該複数の受信装置１３へ警告信号を送信するのに用いる。本考案の介護システム１は多対多使用する。例として図５中の複数個の監視モジュール１１は異なるユーザにそれぞれ設置する。複数個の受信装置１３は多数名の介護スタッフがそれぞれ持つ。該サーバー１２の演算ユニット１２２は指定ユーザの警告信号を対応する指定受信装置１３に送信するのに用いる。その他、図７において、本考案の介護システム１の該演算ユニット１２２は該受信装置１３内に設置し、別にサーバー１２を設置する必要がなく、該演算ユニット１２２は指定圧力信号が異常であると判断すると、該受信装置１３で警告信号を表示する。
【００２６】
図６は、本考案の更に別の実施例の介護装置２である。介護装置２は複数個の圧力センサー１１１を備えるクッションチェアと信号連接するのに用い、該複数の圧力センサー１１１は該クッションチェアが受けた力を感知し、且つ圧力信号を生成するのに用いる。該介護装置２はマイクロプロセッサ２１、連接ユニット２２、保存ユニット２３、通知ユニット２４と警告ユニット２５を有する。該介護装置２は圧力センサー１１１を備えたクッションチェアと信号連接した後（有線または無線）、対応する圧力センサーの演算分析を行い、分析結果と設定状態に差があるとき、即座に通知ユニット２４と警告ユニット２５を起動する。この装置に拠って、現在使用する複数個の圧力センサーを備えるクッションチェアと結合する。
【００２７】
そのうち、該連接ユニット２２は該複数の圧力センサー１１１および該マイクロプロセッサ２１に信号連接し、該複数の圧力信号を受信して該複数の圧力信号を該マイクロプロセッサ２１へ伝送するのに用いる。保存ユニット２３は該マイクロプロセッサ２１に信号連接して、毎回受信した該複数の圧力信号を保存するのに用いる。通知ユニット２４は該マイクロプロセッサ２１に信号連接し、メッセージを送信するのに用いる。警告ユニット２５は該マイクロプロセッサ２１に信号連接し、ライトまたは音声を生成する。該マイクロプロセッサ２１は毎回該複数の圧力信号を受信するとき、毎回、前回の圧力信号との比較を実施し、同じ回数を継続しているか、または変化量が設定値に至らないが設定回数は達成したか、または同じ時間間隔で設定時間値に至ったとき、異常な状況であると判断する。異常状況が発生した時、該通知ユニットがメッセージを生成して指定アドレスへ送信し、更に該警告ユニットがサウンドを生成する。
【００２８】
そのうち、該連接ユニット２２は更にポート２２１を有し、ポート２２１は連接ユニット２２と信号連接し、該複数の圧力センサー１１１と有線の信号が連接するのに用いるか、または該連接ユニット２２に無線伝送ユニット２２２を含んで信号連接し、該複数の圧力センサー１１１と無線で信号連接するのに用いる。
【００２９】
特に、本考案の介護装置２は演算ユニット２２１をクラウドサーバー内に設置するが、ここでは詳述しない。なぜなら、これらの変化は当領域に於いて、通常の知識を備えるものが本考案実施方式にもとづき、合理的に説明できるものだからである。
【００３０】
図８並びに図１が示すとおり、本考案の介護方法４００の第一実施例は以下ステップを有する。
【００３１】
設定ステップ４０１は、該設定ユニット１２３で該演算ユニット１２２の指定時間エリアおよび指定圧力変化量を設定する。
【００３２】
監視ステップ４０２は、該複数の圧力センサー１１１で圧力を計測し、更に圧力信号を送信する。
【００３３】
演算ステップ４０３は、該送受信ユニット１２１で該複数の圧力センサー１１１の圧力信号を受信し、該演算ユニット１２２に分析および判断させるのに用い、指定圧力信号の指定時間エリア内での変化量が指定圧力変化量に満たないとき、該演算ユニット１２２は指定圧力信号が異常であると判断し、該送受信ユニット１２１から警告信号を送信する。
【００３４】
警告ステップ４０４は、該受信装置１３が警告信号を受信並びに表示する。
【００３５】
プッシュ通知ステップ４０５は、該演算ユニット１２２が該送受信ユニット１２１から該受信装置１３へ警告信号を送信したとき、該プッシュ通知ユニット１２４はプッシュ通知を連絡名簿の指定者へ送信する。
【００３６】
記録ステップ４０６は、該クラウドデータベース１２５に過去の圧力信号を保存する。
【００３７】
ビックデータ分析ステップ４０７は、該分析ユニット１２６で該演算ユニット１２２の指定時間エリアおよび指定圧力変化量を調整するため、過去の圧力信号を分析する。
【００３８】
上述の各ステップは、順番に実施する他に、実施順序を変更したり、または同時実施してもよい。例として該記録ステップ４０６は該演算ステップ４０３前へ変更してもよく、該警告ステップ４０４と該プッシュ通知ステップ４０５は同時実施してもよい等々。これらステップの順序変換は、当領域に於いて、通常の知識を備えるものが本考案実施方式にもとづき、合理的に説明できるものなので、本考案の介護方法４００の請求範囲に含まれる。
【００３９】
上述に示すとおり、本考案の介護システム１およびその装置２はユーザが長時間圧迫する部位に該複数の圧力センサー１１１を設置して圧力信号を測定して送信する。指定時間エリア内の圧力信号変化量が指定圧力変化量に達しないとき、警告信号を発してユーザが姿勢を変更することを促し、ユーザが長時間同じ姿勢を継続するのを防止し、ユーザの状態を監視して末梢神経の循環を促進する目的を達成する。
【００４０】
以上は本考案の良好な実施例に過ぎず、本考案実施の請求範囲を制限するものではなく、本考案の請求範囲および考案の説明内容の簡単な同効果の変化と修飾は、すべて本考案の請求範囲に属する。
【符号の説明】
【００４１】
１        介護システム
１１        監視モジュール
１１１        圧力センサー
１２        サーバー
１２１        送受信ユニット
１２２        演算ユニット
１２３        設定ユニット
１２４        プッシュ通知ユニット
１２５        クラウドデータベース
１２６        分析ユニット
１３        受信装置
１４        警告灯
１５        警告ブザー
１６        警告バイブレータ
２        介護装置
２１        マイクロプロセッサ
２２        連接ユニット
２２１        ポート
２２２        無線伝送ユニット
２３        保存ユニット
２４        通知ユニット
２５        警告ユニット
４００        介護方法
４０１        設定ステップ
４０２        監視ステップ
４０３        演算ステップ
４０４        警告ステップ
４０５        プッシュ通知ステップ
４０６        記録ステップ
４０７        ビックデータ分析ステップ
【図１】
0003225235.tif 000003
【図２】
0003225235.tif 000004
【図３】
0003225235.tif 000005
【図４】
0003225235.tif 000006
【図５】
0003225235.tif 000007
【図６】
0003225235.tif 000008
【図７】
0003225235.tif 000009
【図８】
0003225235.tif 000010
【手続補正書】
【提出日】令和1年12月10日(2019.12.10)
【手続補正１】
【補正対象書類名】実用新案登録請求の範囲
【補正対象項目名】請求項５
【補正方法】変更
【補正の内容】
【請求項５】
複数個の圧力センサーを備えるクッションチェアと信号連接し、前記複数の圧力センサーは前記クッションチェアが受けた力を感知し、且つ圧力信号を生成するのに用いる介護装置において、前記介護装置は、
マイクロプロセッサと、
前記複数の圧力センサーおよび前記マイクロプロセッサに信号連接し、複数の圧力信号を受信し、更に前記複数の圧力信号を前記マイクロプロセッサへ伝送するのに用いる連接ユニットと、
前記マイクロプロセッサに信号連接し、毎回受信した前記複数の圧力信号を保存するのに用いる保存ユニットと、
前記マイクロプロセッサに信号連接し、メッセージを送信するのに用いる通知ユニットと、
前記マイクロプロセッサに信号連接し、ライトまたは音声を生成する警告ユニットを有し、
前記マイクロプロセッサは毎回、前記複数の圧力信号を受信するとき毎回、前回の圧力信号との比較を実施し、同じ回数を継続しているか、または変化量が設定値に至らないが設定回数は達成したか、または同じ時間間隔で設定時間値に至ったとき、異常な状況であると判断し、異常状況が発生した時、前記通知ユニットがメッセージを生成して指定アドレスへ送信し、更に前記警告ユニットがサウンドを生成することを特徴とする介護装置。